(57)【要約】【課題】販売の際に保証期限の起算日となる販売日及び販売店名等を保証書である添付印刷物に記入するために梱包装置を開封する必要がある。即ち封緘テープを途中まで剥がしたり、カッター等で封緘テープを切りフラップ部を開状態にせしめたり等の煩雑な作業が必要である。【解決手段】本発明の梱包装置（２）は、外側カートンケース（４）と、外側カートンケースの内側に配置される内側カートンケース（６）とを具備している。外側カートンケースの側壁（１０）には開口部（１４）と開口部の上端から内方に折り曲げ可能に形成された垂下片（１６）とが設けられている。内側カートンケースの側面部（１７）の外側には添付印刷物（１８）を保持する保持手段（２０）が設けられている。保持手段に添付印刷物を保持し、開口部を設けた側壁と保持手段が設けられた側面部とを対向せしめるようにして外側カートンケースの内側に内側カートンケースを配置せしめ、内側カートンケースの内側に物品を収容して梱包せしめた際には、添付印刷物は開口部を介して出し入れされる。【選択図】        図１
2004352271.tif 000002
【特許請求の範囲】
【請求項１】
物品と共に添付印刷物を収容する梱包装置にして、
外側カートンケースと、該外側カートンケースの内側に配置される内側カートンケースとを具備しており、
該外側カートンケースの側壁には開口部と該開口部の上端から内方に折り曲げ可能に形成された垂下片とが設けられており、該内側カートンケースの側面部の外側には添付印刷物を保持する保持手段が設けられており、
該保持手段に添付印刷物を保持し、該開口部を設けた該側壁と該保持手段が設けられた該側面部とを対向せしめるようにして該外側カートンケースの内側に該内側カートンケースを配置せしめ、該内側カートンケースの内側に物品を収容して梱包せしめた際には、添付印刷物は該開口部を介して出し入れされる、
ことを特徴とする梱包装置。
【請求項２】
該保持手段は該内側カートンケースの該側面部の外面に幅方向に間隔をおいて配設された支持部と、該支持部の間に支持された、該側面部の外面から上方に延びる主部とを含み、該保持手段の両側端部には夫々、突出部が設けられている、請求項１記載の梱包装置。
【発明の詳細な説明】
【０００１】
【発明の属する技術分野】
本発明は家電製品等の物品を収容する梱包装置、更に詳しくは保証書などの添付印刷物を容易に出し入れできるように構成した梱包装置に関する。
【従来の技術】
【０００２】
周知のごとく、家電製品等の物品を収容する梱包装置には保証書等の添付印刷物が収容されている。かかる梱包装置は底部と、底部の周縁から上方に延びる角筒状の側面部と、側面の上端の各辺から延びるフラップ部とから構成されており、梱包装置に物品と共に添付印刷物を収容する際には、物品を緩衝材と共に梱包装置に収容せしめ、次いで添付印刷物の少なくとも一部を、フラップ部と物品を保護する緩衝材との間に挟み込み、しかる後にフラップ部を閉状態にせしめて封緘テープ等で封緘せしめている。
【０００３】
しかしながら、上述されたような梱包装置では、販売の際に保証期限の起算日となる販売日及び販売店名等を保証書である添付印刷物に記入するために梱包装置を開封する必要がある。即ち封緘テープを途中まで剥がしたり、カッター等で封緘テープを切りフラップ部を開状態にせしめたり等の煩雑な作業が必要である。
【０００４】
【発明が解決しようとする課題】
本発明は上記事実に鑑みてなされたものであり、その主たる技術課題は、保証書などの添付印刷物を容易に出し入れできる新規且つ改良された梱包装置を提供することである。
【０００５】
【課題を解決するための手段】
本発明によれば、上記主たる技術課題を達成するために、物品と共に添付印刷物を収容する梱包装置にして、
外側カートンケースと、該外側カートンケースの内側に配置される内側カートンケースとを具備しており、
該外側カートンケースの側壁には開口部と該開口部の上端から内方に折り曲げ可能に形成された垂下片とが設けられており、該内側カートンケースの側面部の外側には添付印刷物を保持する保持手段が設けられており、
該保持手段に添付印刷物を保持し、該開口部を設けた該側壁と該保持手段が設けられた該側面部とを対向せしめるようにして該外側カートンケースの内側に該内側カートンケースを配置せしめ、該内側カートンケースの内側に物品を収容して梱包せしめた際には、添付印刷物は該開口部を介して出し入れされる、
ことを特徴とする梱包装置が提供される。
【０００６】
好ましくは、該保持手段は該内側カートンケースの該側面部の外面に幅方向に間隔をおいて配設された支持部と、該支持部の間に支持された、該側面部の外面から上方に延びる主部とを含み、該保持手段の両側端部には夫々、突出部が設けられている。
【０００７】
【発明の実施形態】
以下、本発明に従って構成された梱包装置の好適実施形態を図示している添付図面を参照して、更に詳細に説明する。
【０００８】
図１乃至図２には本発明にかかる、物品と共に添付印刷物を収容する梱包装置の一実施例が図示されている。全体を番号２で示す梱包装置は、図示の実施形態においては外側カートンケース４と、外側カートンケース４の内側に配置される内側カートンケース６と、外側カートンケース及び内側カートンケース６が載置せしめられるトレイ８とを具備している。
【０００９】
段ボールで構成することができる外側カートンケース４は、図示の実施形態においては角筒形状の側壁１０と、側壁１０の上端の夫々の辺から延出するフラップ部１２とから構成されている。かかる側壁の一面には開口部１４と、開口部１４の上端から内方に折り曲げ可能に形成された垂下片１６とが設けられている。図示の実施形態における開口部１４と垂下片１６とは、側壁１０の一面に幅方向に間隔をおいて一対の切込みと、かかる一対の第一の切込みの下端間を結ぶ連結切込みとを設けて、一対の第一の切込みの上端間を結ぶ直線で折り曲げることにより構成されている。
【００１０】
段ボールで構成することができる内側カートンケース６は、角筒状の側面部１７から構成されている。図示の実施形態における側面部１７の外側には、保証書である添付印刷物１８を保持する保持手段２０と、その両側端部、即ち保持手段２０の両側に略垂直方向に延びる突出部２２が設けられている。保持手段２０は側面部１７の外面に幅方向に間隔をおいて配設された支持部２４と、支持部２４の間に支持された、側面部１７の外面から上方に延びる主部２６とを含んでいる。支持部２４の夫々は、側面部１７の一つに垂直方向に間隔をおいて略水平方向に延びる一対の第二の切込みと、かかる第二の切込みの内側端間を連結する第一の連結切込みとを設けて、第二の切込みの外側端間を結ぶ直線で折り曲げることにより構成されている。かように構成された支持部２４の夫々には上端及び下端に第一の切欠き２８が設けられている。主部２６は、側面部１７の一つに幅方向に間隔をおいて略垂直方向に延びる一対の第三の切込みと、第三の切込みの下端間を連結する第二の連結切込みとを設けて、第三の切込みの上端間を結ぶ直線で折り曲げることによって構成されている。かように構成された主部２６の両側端には第二の切欠き３０が設けられており、一対の支持部２４は、その第一の切欠き２８を主部２６の第二の切欠き３０に係合せしめることによって主部２６を支持している。側面部１７の両側端部に設けられている突出部２２は、側面部１７の両側端部を折り曲げて側面部１７の内側に補強部材３２を適宜の手段によって接続せしめることによって構成されている。
【００１１】
厚紙或いは段ボールによって構成することができる矩形状のトレイ８は、図示の実施形態においては矩形状底壁３４と、底壁３４の長手方向の各縁辺から延びる長側壁３６及び３８と、長手方向と直交する方向の各縁辺から延びる短側壁４０及び４２とから構成されている。長側壁３６及び３８と、短側壁４０及び４２とは底壁３４に対して直角に上方に折り曲げられており、長側壁３６及び３８の両端に位置する連結部４４が短側壁４０及び４２の両端部に適宜の手段によって連結されている。
【００１２】
上述されたように構成された梱包装置２に物品と共に保証書などの添付印刷物を収容する際には、載置されたトレイ８上に外側カートンケース４を配置せしめ、次いで外側カートンケース４の内側に、開口部１４を設けた側壁１０と保持手段２０を設けられた側面部１７とを対向せしめるように内側カートンケース６を配置せしめ、しかる後に物品を内側カートンケース６の内側に配置せしめると共に、保証書などの添付印刷物を内側カートンケース６の保持手段２０に保持せしめる。その後、外側カートンケース４のフラップ部１２を閉状態にせしめて封緘テープ等で封緘せしめ、梱包装置２における外側カートンケース４、内側カートンケース６、トレイ８の各々を図示しない連結手段によって一体にせしめている。
【００１３】
保証期限の起算日となる販売日及び販売店名等を保証書である添付印刷物に記入する際には、外側カートンケース４における垂下片１６を内方に折り曲げ、開口部１４から手を差し入れ、保持手段２０に保持されている保証書を取り出し販売日及び販売店名等を記入し、しかる後に再び保証書を開口部１４を通して保持手段２０に保持せしめる。かように本発明の梱包装置２においては、保証書などの添付印刷物を容易に出し入れできる。
【００１４】
【発明の効果】
本発明の梱包装置においては、保証書などの添付印刷物を容易に出し入れできる。
【図面の簡単な説明】
【図１】本発明に従って構成された梱包装置の好適実施形態を図示する分解斜視図。
【図２】図１に図示する梱包装置の縦断面図。
【符号の説明】
２：梱包装置
４：外側カートンケース
６：内側カートンケース
１０：側壁
１２：フラップ部
１４：開口部
１６：垂下片
１７：側面部
１８：添付印刷物
２０：保持手段
２２：突出部
２４：支持部
２６：主部
【図１】
2004352271.tif 000003
【図２】
2004352271.tif 000004